(57)【特許請求の範囲】
【請求項１】
通帳に対して印字処理を行う通帳処理装置であって、
通帳を挿入する挿入口と、
通帳を排出する排出口と、
前記挿入口から挿入された通帳を搬送する挿入通帳搬送路と、
該挿入通帳搬送路の途中に設けられ、通帳の磁気ストライプから情報を読み取る読取部と、
前記挿入通帳搬送路の終端に始端を接続して設けられ、前記挿入通帳搬送路から受け渡される通帳を搬送する処理搬送路と、
該処理搬送路の途中に設けられ、通帳への印字を行う印字部と、
該処理搬送路に設けられ、通帳の頁めくりを行う頁めくり部と、
前記挿入通帳搬送路と前記処理搬送路との接続部に始端を接続し、終端を前記排出口に接続するように設けられ、前記処理搬送路から受け渡される通帳を前記排出口へ搬送する排出通帳搬送路と、
該排出通帳搬送路の途中に設けられ、通帳の磁気ストライプに対して情報読み取りと書き込みを行い、かつ通帳が新たな通帳を発行する動作により使用済みとなった通帳の場合、その通帳の磁気ストライプに当該通帳を無効にするための情報を書き込む読取書込部と、
前記排出通帳搬送路から分岐するように通帳の長さよりも短い長さで設けられ、新たな通帳を発行する動作により使用済みとなった通帳を一時的に退避させる退避搬送路を備えたことを特徴とする通帳処理装置。
【請求項２】
前記新たな通帳を発行する動作は、通帳の繰越動作であることを特徴とする請求項１に記載の通帳処理装置。
【請求項３】
前記退避搬送路は、前記通帳の表面に当接するローラと前記通帳の裏面に当接するローラとで前記通帳を挟持搬送して一時的に退避させることを特徴とする請求項１または請求項２に記載の通帳処理装置。
【請求項４】
前記退避搬送路において退避させる通帳は、その一部が前記退避搬送路からはみ出した状態で退避していることを特徴とする請求項１から請求項３のいずれか１項に記載の通帳処理装置。
【請求項５】
前記通帳の一部は前記退避搬送路の前記排出通帳搬送路側と反対側の端部からはみ出すようにしたことを特徴とする請求項４に記載の通帳処理装置。
【請求項６】
前記退避搬送路は、前記読取書込部の手前で前記排出通帳搬送路から分岐するように設けられたことを特徴とする請求項１から請求項５のいずれか１項に記載の通帳処理装置。
【請求項７】
通帳に対して印字処理を行う通帳処理装置であって、
通帳を挿入する挿入口と、
通帳を排出する排出口と、
前記挿入口から奥に伸びるように設けられ、前記挿入口から挿入された通帳を搬送する挿入通帳搬送路と、
該挿入通帳搬送路の途中に設けられ、通帳の磁気ストライプから情報を読み取る読取部と、
前記挿入通帳搬送路の途中に設けられ、通帳の開いている頁を認識する第１のバーコードリーダと、
前記挿入通帳搬送路の終端に始端を接続して設けられ、前記挿入通帳搬送路から受け渡される通帳を両方向に搬送する処理搬送路と、
該処理搬送路の途中に設けられ、通帳への印字を行う印字部と、
前記処理搬送路の終端に設けられ、通帳の頁めくりを行う頁めくり部と、
前記処理搬送路の途中に設けられ、通帳の開いている頁を認識する第２のバーコードリーダと、
前記挿入通帳搬送路と前記処理搬送路との接続部に始端を接続し、終端を前記排出口に接続するように設けられ、前記処理搬送路から受け渡される通帳を前記排出口へ搬送する排出通帳搬送路と、
該排出通帳搬送路の途中に設けられ、通帳の磁気ストライプに対して情報読み取りと書き込みを行い、かつ通帳が新たな通帳を発行する動作により使用済みとなった通帳の場合、その通帳の磁気ストライプに当該通帳を無効にするための情報を書き込む読取書込部と、
該読取書込部の手前で前記排出通帳搬送路から分岐するように通帳の長さよりも短い長さで設けられ、新たな通帳を発行する動作により使用済みとなった通帳を一時的に退避させる退避搬送路を備えたことを特徴とする通帳処理装置。
【発明の詳細な説明】
【技術分野】
【０００１】
本発明は、金融機関の窓口等に設置され、内蔵の印字部により通帳への記帳処理を行う通帳処理装置に関する。
【背景技術】
【０００２】
従来の帳票処理装置は、帳票である預金通帳や証書が挿入される挿入口と、帳票である伝票が挿入される挿入口とが設けられており、係員が記帳を行う帳票の種類に応じた挿入口に帳票を挿入すると、帳票を搬送路に取り込んで印字部に搬送し、印字部で帳票を印字した後、搬送方向を反転させて帳票を挿入口から排出している（例えば、特許文献１参照。）。
【先行技術文献】
【特許文献】
【０００３】
【特許文献１】特開平１１−５６４８号公報（段落「００１４」−段落「００１６」、図１）
【発明の開示】
【発明が解決しようとする課題】
【０００４】
しかしながら、上述した従来の技術においては、帳票の挿入と排出が同一の挿入口であるために、処理を行う帳票が複数あるときに、挿入口に挿入した帳票の処理を完了し排出するまで、次の帳票を挿入することができず処理に時間が掛かっていた。また通常の業務においては１回の取引で帳票を複数回挿入することがあり、帳票の挿入回数が増える分業務効率が悪くなってしまうという問題がある。
【０００５】
本発明は、上記の問題点を解決するための手段を提供することを目的とする。
【課題を解決するための手段】
【０００６】
この目的を達成するため、本発明は、通帳に対して印字処理を行う通帳処理装置であって、通帳を挿入する挿入口と、通帳を排出する排出口と、前記挿入口から挿入された通帳を搬送する挿入通帳搬送路と、該挿入通帳搬送路の途中に設けられ、通帳の磁気ストライプから情報を読み取る読取部と、前記挿入通帳搬送路の終端に始端を接続して設けられ、前記挿入通帳搬送路から受け渡される通帳を搬送する処理搬送路と、該処理搬送路の途中に設けられ、通帳への印字を行う印字部と、該処理搬送路に設けられ、通帳の頁めくりを行う頁めくり部と、前記挿入通帳搬送路と前記処理搬送路との接続部に始端を接続し、終端を前記排出口に接続するように設けられ、前記処理搬送路から受け渡される通帳を前記排出口へ搬送する排出通帳搬送路と、該排出通帳搬送路の途中に設けられ、通帳の磁気ストライプに対して情報読み取りと書き込みを行い、かつ通帳が新たな通帳を発行する動作により使用済みとなった通帳の場合、その通帳の磁気ストライプに当該通帳を無効にするための情報を書き込む読取書込部と、前記排出通帳搬送路から分岐するように通帳の長さよりも短い長さで設けられ、新たな通帳を発行する動作により使用済みとなった通帳を一時的に退避させる退避搬送路を備えたことを特徴とする。
【発明の効果】
【０００７】
これにより、本発明は、先に挿入した帳票（通帳）が排出される前に、次の帳票を挿入することができるので、処理の高速化を図ることができ、業務効率が向上するという効果が得られる。
【図面の簡単な説明】
【０００８】
【図１】実施例１の帳票処理装置の内部構造を示す説明図
【図２】実施例１の帳票処理装置を含む窓口システムを示す構成図
【図３】通帳の位置に合わせて動作する第１搬送切替ブレードを示す説明図
【図４】途中で繰越動作を行う場合の通帳搬送を示す説明図
【発明を実施するための最良の形態】
【０００９】
以下に、図面を参照して本発明による通帳処理装置の実施例について説明する。尚、ここでは通帳処理装置として帳票処理装置を例にして説明する。
【実施例１】
【００１０】
図１は実施例１の帳票処理装置の内部構造を示す側面図、図２は実施例１の帳票処理装置を含む窓口システムを示す構成図である。
【００１１】
図１において、１は帳票処理装置であり、金融機関の窓口等に設置された事務机に内蔵され、図２に示すように窓口端末３０と接続して窓口端末３０からの印字指示に従って帳票への印字処理を行う。
【００１２】
２は挿入口であり、事務机の筆記面（上面）で開口するように設けられ、挿入される通帳を受け入れる。また挿入口２には挿入口２を開閉する挿入口シャッタ２ａが設けられている。
【００１３】
３は排出口であり、挿入口２よりも奥側で事務机の筆記面で開口し、挿入されて処理が完了した帳票を排出する。
【００１４】
４は挿入帳票搬送路であり、挿入口２に挿入された帳票を搬送する機能を有する。
【００１５】
５は挿入帳票リード部（読取部）であり、挿入帳票搬送路４の途中に配され、帳票としての通帳に設けられた磁気ストライプを読み取る機能を有する。
【００１６】
６は第１バーコードリーダ部であり、挿入帳票搬送路４の途中に配され、帳票に印字されたバーコードを読み取る機能を有する。
【００１７】
７は処理搬送路であり、印字部８、第２バーコードリーダ部９を途中に配し、突き当りに頁めくり部１０を配しており、そのため印字部８、第２バーコードリーダ部９、頁めくり部１０を実装するのに必要な長さであって、帳票を正逆方向に搬送可能に構成される。
【００１８】
また、図１に示すように処理搬送路７は、挿入帳票搬送路４の終端及び排出帳票搬送路１２の始端と接続した形状であって、その接続した箇所に第１搬送切替ブレード１１を配し、その第１搬送切替ブレード１１を帳票の搬送方向に合わせて向きを切り替える仕組みとなっている。
【００１９】
印字部８は、印字ヘッドやプラテンを備えて帳票への印字処理を実行する機能を有する。
【００２０】
第２バーコードリーダ部９は、第１バーコードリーダ部６と同様にバーコードを読み取る機能を有し、特に印字部８でバーコードが印字されたときに、そのバーコードが読み取れる状態であることを確認する。
【００２１】
頁めくり部１０は、通帳等の冊子状となっている帳票の頁をめくるための機構によって構成されている。
【００２２】
１２は排出帳票搬送路であり、排出口３から処理搬送路７にかけて設けられ、処理搬送路７から搬送されてきた帳票を排出口３に搬送する。
【００２３】
１３は排出帳票リードライト部（無効部）であり、排出帳票搬送路１２の途中に配され、帳票としての通帳に設けられた磁気ストライプを読み取る機能を有する他、磁気ストライプに情報を書き込んで記録する機能を有する。
【００２４】
１４は第２搬送切替ブレードであり、帳票を排出口３に搬送する搬送方向に沿う排出帳票リードライト部１３の上流側に配され、帳票が退避搬送路１６に向かうように搬送方向を切り替える。
【００２５】
退避搬送路１６は、排出帳票搬送路１２から分岐し、帳票の表面に当接するローラと裏面に当接するローラとの間で帳票を挟持搬送して一時的に退避させておくための搬送路であり、帳票を排出帳票搬送路１２から退避させることができる長さで、かつ搬送されてくる帳票よりも短い長さとなるように形成される。
【００２６】
退避搬送路１６を帳票よりも短くしたことにより、帳票を退避させたときその帳票の一部が退避搬送路１６からはみ出して垂れ下がった状態となる。
【００２７】
２０は制御部であり、記憶部２１に格納された制御プログラムに従って帳票処理装置の各部を制御して、帳票処理を遂行する。
【００２８】
２１は記憶部であり、制御部２０が遂行する制御プログラムを格納する他、制御部２０による処理結果等を記憶する。
【００２９】
なお、上記の挿入帳票搬送路４、排出帳票搬送路１２、退避搬送路１６は、帳票を正逆方向に搬送可能な構成となっており、また各搬送路に図示しない帳票検出センサが複数配され、これにより制御部２０が帳票の位置を認識することができる。
【００３０】
また、挿入帳票搬送路４、排出帳票搬送路１２、退避搬送路１６の各搬送路は、それぞれ独立制御できる駆動モータによって動作するようになっている。
【００３１】
また、挿入帳票搬送路４の長さは、取扱う帳票の内、搬送方向に沿う辺の長さが最も長い帳票を待機させるために十分な長さ、つまり取扱う帳票の搬送方向の辺よりも長い長さとしている。
【００３２】
排出帳票搬送路１２における第２搬送切替ブレード１４から排出口３までの長さは、取扱う帳票の内、搬送方向に沿う辺の長さが最も長い帳票よりも長い長さとする。
【００３３】
図２において、３０は窓口端末であり、金融機関の窓口に設置され、ＣＲＴやＬＣＤ等の表示画面と、キーボードやマウス等の入力手段を備え、窓口係員に対して窓口での各種取引処理のための誘導画面を表示し、窓口係員による入力を受け付けて窓口取引の処理を行う。
【００３４】
３２はホストコンピュータであり、金融機関のセンタに設置され、店舗に設置されている窓口端末３０と専用回線や電話回線等の通信回線を介して接続しており、顧客の口座の口座番号やその暗証番号、口座残高等の顧客情報を保有して顧客の口座を管理する。
【００３５】
上述した構成の作用について、特に通帳の印字を行った直後に伝票の印字を行う場合の処理について説明する。
【００３６】
係員が窓口端末３０の入力手段によって通帳および伝票への印字内容を示す印字内容情報を入力すると共に、印字処理のための指示入力を行うと、窓口端末３０は印字内容情報を付した印字指示を帳票処理装置１へと送信し、最初に挿入口２へ通帳を挿入するように促す画面を表示画面に表示する。
【００３７】
帳票処理装置１の制御部２０は、受信した印字指示の印字内容情報を記憶部２１に記憶し、挿入口シャッタ２ａを開放する。
【００３８】
そして、係員は印字を開始する箇所となる頁を開いた通帳を挿入口２に挿入する。
【００３９】
制御部２０は、通帳が挿入されたことを、図示しない帳票検出センサによって認識すると、挿入口シャッタ２ａを閉じる。
【００４０】
ここで、図３は通帳の位置に合わせて動作する第１搬送切替ブレードを示す説明図であり、（ａ）は挿入帳票搬送路４から処理搬送路７に向かって通帳を搬送する様子、（ｂ）は通帳が処理搬送路７に入り込んだ様子、（ｃ）は処理搬送路７から排出帳票搬送路１２に向かって通帳を搬送する様子、（ｄ）は通帳の後に挿入された伝票を処理搬送路７に搬送した様子、（ｅ）は伝票を処理搬送路７から排出帳票搬送路１２に向かって搬送する様子を示している。
【００４１】
制御部２０は、図３（ａ）に示すように挿入帳票搬送路４から処理搬送路７に向かうように第１搬送切替ブレード１１の向きを調整した上で、挿入された通帳の搬送を開始する。
【００４２】
制御部２０は、通帳を挿入帳票リード部５に搬送し、挿入帳票リード部５によって通帳の磁気ストライプから、通帳の印字を開始する頁と開始行等の印字開始位置情報を読み取り、次に第１バーコードリーダ部６によって通帳の開いてある頁を認識し、その通帳の頁と印字開始位置情報の頁とが一致しているのを確認し、読み取った印字開始位置情報を記憶部２１に記憶して通帳を処理搬送路７へ搬送する。
【００４３】
なお、通帳の頁と印字開始位置情報の頁とが不一致のときは、挿入帳票搬送路４による搬送方向を逆転させて通帳を挿入口２から排出して係員に返却する。
【００４４】
制御部２０は、搬送している通帳の後端が挿入帳票搬送路４を通過し、当該通帳が処理搬送路７に入り込んだことを図示しない帳票検出センサによって認識すると、図３（ｂ）に示すように第１搬送切替ブレード１１の向きを切り替える。
【００４５】
これにより、処理搬送路７と排出帳票搬送路１２間で通帳が搬送されるように、両搬送路が繋がる。
【００４６】
制御部２０は、記憶部２１から印字開始位置情報を読み出し、その印字開始位置情報の開始行に印字部８の印字ヘッドを合わせるように処理搬送路７によって通帳を搬送して位置させ、印字部８による印字を開始する。
【００４７】
なお、制御部２０は印字開始位置情報をもとに通帳への印字可能な残り行数と、印字内容情報に基づく通帳への印字行数とを比較し、当該通帳に全て印字できることを確認しておく。
【００４８】
ここで、印字する内容は、上記で記憶した通帳への印字内容情報に基づく内容であって、印字の途中で通帳の頁の最終行まで印字を行った場合は、印字を一時中断して頁めくり部１０へ通帳を搬送し、頁めくり部１０で頁をめくった通帳を第２バーコードリーダ部９に搬送すると共にめくった頁のバーコードを第２バーコードリーダ部９によって読み取って、その頁の正当性を確認し、再び印字部８に搬送して印字を再開する。
【００４９】
なお、通帳が完全に処理搬送路７内に入り込んだとき、制御部２０は挿入口シャッタ２ａを開放し、挿入口２へ新たに帳票を挿入可能な状態である旨の通知を窓口端末３０に送信することで、窓口端末３０の表示画面に帳票を挿入口２に挿入するように促す画面を表示させる。
【００５０】
係員は挿入口２に新たに伝票を挿入する。
【００５１】
制御部２０は、挿入帳票搬送路４によって伝票を第１搬送切替ブレード１１の手前まで搬送しておき、上記した通帳の印字完了後、図３（ｃ）に示すように処理搬送路７から排出帳票搬送路１２へと通帳を搬送し、排出帳票搬送路１２によって通帳を排出帳票リードライト部１３に搬送する。
【００５２】
そして、制御部２０は、印字処理の結果等に応じ、更新する所要の情報を排出帳票リードライト部１３によって通帳の磁気ストライプに書き込み、書き込みが完了した後、排出口３から通帳を排出する。
【００５３】
一方、通帳が排出帳票搬送路１２に完全に入ったとき、即ち通帳が処理搬送路７を抜けたタイミングで制御部２０は図３（ｄ）に示すように第１搬送切替ブレード１１を上述した通帳を処理搬送路７に搬送するときと同じ向きに切り替え、挿入帳票搬送路４内の伝票を処理搬送路７に搬送する。
【００５４】
そして、通帳排出後、制御部２０は伝票を印字部８に搬送し、上述の記憶部２１に記憶した伝票への印字内容情報に基づき、印字部８によって伝票に印字を行う。
【００５５】
なお、このときも挿入帳票搬送路４に帳票が存在していない状態であり、例えば記憶している印字内容情報において、さらに別の伝票への印字内容情報がある場合には、上記と同様に挿入口シャッタ２ａを開放して新たに伝票を挿入させるようにする。
【００５６】
制御部２０は、伝票印字が完了すると、図３（ｅ）に示すように、通帳を処理搬送路７から排出帳票搬送路１２に搬送したときと同じ向きになるように第１搬送切替ブレード１１の向きを切り替え、処理搬送路７から排出帳票搬送路１２を経由して伝票を排出口３へ搬送して排出し、印字処理を終了する。
【００５７】
次に印字処理の途中で、通帳の繰越動作を行う場合について説明する。
【００５８】
なお、最初に挿入された通帳を旧通帳、新たに発行する通帳を新通帳として区別する。
【００５９】
ここで、図４は途中で繰越動作を行う場合の通帳搬送を示す説明図であり、（ａ）は挿入帳票搬送路４から処理搬送路７に向かって旧通帳を搬送する様子、（ｂ）は旧通帳が処理搬送路７に入り込んだ様子、（ｃ）は退避搬送路１６に旧通帳を搬送して新通帳を処理搬送路７に搬送した様子、（ｄ）は新通帳を排出帳票搬送路１２によって搬送している様子、（ｅ）は伝票を挿入帳票搬送路４に待機させて旧通帳を処理搬送路７に搬送した様子を示している。
【００６０】
帳票処理装置１の制御部２０は、上述したように窓口端末３０から受信した印字指示の印字内容情報を記憶部２１に記憶し、旧通帳を挿入帳票搬送路４によって挿入帳票リード部５に搬送し、旧通帳の磁気ストライプから印字開始位置情報を読み取り、読み取った印字開始位置情報を記憶部２１に記憶して旧通帳を図４（ａ）に示すように処理搬送路７へ搬送し、図４（ｂ）に示すように前記印字開始位置情報の開始行を印字部８の印字ヘッドの位置に合わせるように搬送している通帳を位置させる。
【００６１】
また、制御部２０は、印字開始位置情報から通帳の残りの印字可能行数Ｎｐを特定すると共に、記憶した印字内容情報に基づく今回新たに印字する行数Ｎｈを特定し、印字可能行数Ｎｐと新たに印字する行数Ｎｈとから、繰越が必要になるか否かを判断する。
【００６２】
つまり、印字可能行数Ｎｐから新たに印字する行数Ｎｈを差し引いた値を算出し、その値が負の値である場合には新通帳への繰越が必要と判断する。
【００６３】
ここでは、新通帳への繰越が必要と判断したものとして説明する。
【００６４】
制御部２０は、窓口端末３０に新通帳の挿入を促す電文を送信し、挿入口シャッタ２ａを開放する。
【００６５】
窓口端末３０は電文を受信すると表示画面に新通帳の挿入を促す画面を表示し、これにより係員が新通帳を挿入口２に挿入する。
【００６６】
制御部２０は、新通帳が挿入口２に挿入されたことを図示しない帳票検出センサで認識すると、挿入口シャッタ２ａを閉じてから新通帳を第１搬送切替ブレード１１の手前まで搬送して待機させる。
【００６７】
一方、制御部２０は、旧通帳が処理搬送路７に入り込んだことを図示しない帳票検出センサによって認識すると、第１搬送切替ブレード１１の向きを切り替える。
【００６８】
これにより、挿入帳票搬送路４が第１搬送切替ブレード１１により遮られた状態になり、処理搬送路７と排出帳票搬送路１２間で旧通帳が搬送されるように、両搬送路が繋がる。
【００６９】
制御部２０は、最終頁／最終行まで印字した旧通帳を処理搬送路７から排出帳票搬送路１２へと搬送し、その際に予め第２搬送切替ブレード１４を排出帳票搬送路１２に入り込んできた旧通帳が退避搬送路１６に向かうように向けておき、排出帳票搬送路１２に入り込んできた旧通帳を退避搬送路１６へと導いて待機させる。
【００７０】
そして第２搬送切替ブレード１４の向きを切り替えることで、後述の新通帳を排出帳票搬送路１２に搬送したときに、退避搬送路１６に入り込むのを防ぐようにする。
【００７１】
制御部２０は、第１搬送切替ブレード１１の向きを切り替えることで、挿入帳票搬送路４から処理搬送路７に向かって新通帳を搬送可能な状態にし、図４（ｃ）に示すように挿入帳票搬送路４から処理搬送路７に新通帳を搬送し、印字部８によって新通帳の表紙に顧客名や口座番号等を印字する。
【００７２】
なお、新通帳が完全に処理搬送路７内に入り込んだタイミングに合わせて、制御部２０は、後で処理搬送路７から搬送する新通帳が排出帳票搬送路１２に向かうように第１搬送切替ブレード１１の向きを切り替えておく。
【００７３】
制御部２０は、新通帳を頁めくり部１０へと搬送して頁めくり部１０によって印字を開始する頁を開き、再び新通帳を印字部８に搬送して旧通帳に印字できなかった取引内容を、新通帳に印字する。
【００７４】
新通帳の印字完了後、制御部２０は図４（ｄ）に示すように新通帳を処理搬送路７から、排出帳票搬送路１２中の排出帳票リードライト部１３に搬送し、排出帳票リードライト部１３によって排出帳票搬送路１２に搬送した新通帳の磁気ストライプに所要の情報を書き込み、排出口３から新通帳を排出する。
【００７５】
このとき新通帳が排出帳票搬送路１２内に完全に入ったタイミングで、第２搬送切替ブレード１４の向きを切り替えてから、図４（ｅ）に示すように退避搬送路１６で待機している旧通帳を処理搬送路７に搬送する。
【００７６】
そして、新通帳排出後、制御部２０は、使用済みとなった旧通帳の表紙に「繰越済み」または「相済」印字を行い、旧通帳を処理搬送路７から排出帳票搬送路１２の排出帳票リードライト部１３に搬送し、排出帳票リードライト部１３によって旧通帳の磁気ストライプに記録された情報を抹消する等の磁気ストライプに記録された情報を無効にするための処理を行う。
【００７７】
そして、磁気ストライプの情報を抹消した旧通帳を排出口３から排出する。
【００７８】
なお、新通帳を排出して旧通帳を排出帳票搬送路１２に搬送したときに、挿入口２に伝票を挿入させ、挿入された伝票の印字処理を行うが、上述した通帳の印字を行った直後に伝票の印字を行う場合の処理における伝票の印字と同様に処理を行うため、その説明を省略する。
【００７９】
以上説明したように、本実施例では、挿入口と排出口を設けてさらに挿入口に挿入された帳票を搬送する挿入帳票搬送路とは別に排出口に帳票を搬送する排出帳票搬送路を設けることで、通帳を挿入した後で伝票を挿入する場合に、通帳の印字を行っている間に伝票を挿入させると共に、伝票を挿入帳票搬送路に待機させ、印字が終わった通帳を排出帳票搬送路によって搬送しているときに、伝票を印字部へと搬送することができるので処理の高速化を図ることができ、業務効率が向上するという効果が得られる。
【００８０】
また、退避搬送路を設けたことにより、通帳の繰越動作を行う場合に旧通帳を退避搬送路に退避させた上で、新通帳への印字を行うことができるので、最終頁／最終行までの印字が済んだ旧通帳を一端排出し、新通帳への印字が済んでから再び旧通帳を挿入させることなく、旧通帳と新通帳をそれぞれ一回挿入すれば印字処理が済むようになるため、処理の高速化を図り、業務効率を向上させることができる。
【００８１】
さらに、退避搬送路の長さを通帳の長さよりも短い長さとすることにより、退避搬送路から通帳の一部が垂れ下がる状態のまま通帳を退避させることができるので、通帳全体を退避搬送路で支える場合と比較して退避搬送路に用いるスペースが短くなり、装置の小型化を図ることができるという効果が得られる。
【００８２】
加えて、挿入口に挿入口シャッタを設けたことにより、通帳の挿入後に伝票を挿入する場合に通帳を処理搬送路に搬送する前に係員が誤って伝票を挿入してしまうことを防止することができる。
【符号の説明】
【００８３】
１ 帳票処理装置
２ 挿入口
２ａ 挿入口シャッタ
３ 排出口
４ 挿入帳票搬送路
５ 挿入帳票リード部
６ 第１バーコードリーダ部
７ 処理搬送路
８ 印字部
９ 第２バーコードリーダ部
１０ 頁めくり部
１１ 第１搬送切替ブレード
１２ 排出帳票搬送路
１３ 排出帳票リードライト部
【図１】
0005411223.tif 000002
【図２】
0005411223.tif 000003
【図３】
0005411223.tif 000004
【図４】
0005411223.tif 000005